(57)【要約】【課題】レンズ鏡筒を固定するのに必要な押し付け力を容易に得ることができ、組み立て簡単なプロジェクタのレンズ鏡筒固定装置を提供する。【解決手段】プロジェクタ１の投射エンジンのハウジング１０に、Ｖブロック状の台座１３と、台座１３の軸線に直交する位置決め面１５を形成する。ハウジング１０には、台座１３より上の箇所に梁状部１６、台座１３を挟んで位置決め面１５と反対側の箇所に係合部１７を形成する。押圧部材３０の一端の脚部３７を係合部１７に係合させ、他端の把持部３１で梁状部１６を把持させると、第１の押圧部３４がレンズ鏡筒２０を台座１３に押し付け、第２の押圧部３５がレンズ鏡筒２０を位置決め面１５に押し付ける。把持部３１には梁状部１６に対し力を及ぼして押圧部材３０を位置決め面１５の方に引き寄せるばね３２が設けられており、また、押圧部材３０は全体が弾性材料で一体成形されている。【選択図】図７
2008139727.tif 000002
【特許請求の範囲】
【請求項１】
プロジェクタの投射エンジンのハウジングに、Ｖブロック状の台座と、この台座の軸線に直交する位置決め面を形成し、前記台座にレンズ鏡筒の外周面を、前記位置決め面に前記レンズ鏡筒の一端を、それぞれ押し付けることにより、レンズ鏡筒の位置決め固定を行うプロジェクタのレンズ鏡筒固定装置において、
前記ハウジングに、前記台座より上の箇所に梁状部、台座を挟んで前記位置決め面と反対側の箇所に係合部を形成するとともに、一端には前記梁状部を把持する把持部、他端には前記係合部に係合する脚部、把持部と脚部の間には台座上のレンズ鏡筒の外周面に接触する第１の押圧部と、レンズ鏡筒の他端に接触する第２の押圧部とを備えた押圧部材を用意し、この押圧部材を、前記脚部が前記係合部に係合するように、且つ前記把持部が前記梁状部を把持するように、前記投射エンジンハウジングに上方から押し込むことにより、前記第１の押圧部がレンズ鏡筒を台座に押し付け、前記第２の押圧部がレンズ鏡筒を位置決め面に押し付けるものであり、前記把持部には、前記梁状部に対し力を及ぼして押圧部材を前記位置決め面の方に引き寄せるばねが設けられ、前記第１の押圧部は逆Ｖブロック状に形成され、前記押圧部材全体が弾性材料で一体成形されていることを特徴とするプロジェクタのレンズ鏡筒固定装置。
【請求項２】
プロジェクタの投射エンジンのハウジングに、Ｖブロック状の台座と、この台座の軸線に直交する位置決め面を形成し、前記台座にレンズ鏡筒の外周面を、前記位置決め面に前記レンズ鏡筒の一端を、それぞれ押し付けることにより、レンズ鏡筒の位置決め固定を行うプロジェクタのレンズ鏡筒固定装置において、
前記ハウジングに、前記台座より上の箇所に梁状部、台座を挟んで前記位置決め面と反対側の箇所に係合部を形成するとともに、一端には前記梁状部を把持する把持部、他端には前記係合部に係合する脚部、把持部と脚部の間には台座上のレンズ鏡筒の外周面に接触する第１の押圧部と、レンズ鏡筒の他端に接触する第２の押圧部とを備えた押圧部材を用意し、この押圧部材を、前記脚部が前記係合部に係合するように、且つ前記把持部が前記梁状部を把持するように、前記投射エンジンハウジングに上方から押し込むことにより、前記第１の押圧部がレンズ鏡筒を台座に押し付け、前記第２の押圧部がレンズ鏡筒を位置決め面に押し付けることを特徴とするプロジェクタのレンズ鏡筒固定装置。
【請求項３】
前記把持部には、前記梁状部に対し力を及ぼして押圧部材を前記位置決め面の方に引き寄せるばねが設けられていることを特徴とする請求項２に記載のプロジェクタのレンズ鏡筒固定装置。
【請求項４】
前記第１の押圧部が逆Ｖブロック状に形成されていることを特徴とする請求項２または３に記載のプロジェクタのレンズ鏡筒固定装置。
【請求項５】
前記押圧部材全体が弾性材料で一体成形されていることを特徴とする請求項２から４のいずれか１項に記載のプロジェクタのレンズ鏡筒固定装置。
【発明の詳細な説明】
【技術分野】
【０００１】
本発明は、スクリーンや壁に画像を投射するプロジェクタのレンズ鏡筒固定装置に関する。
【背景技術】
【０００２】
画像によるプレゼンテーション、あるいは映像ソフトの表示といった目的で、プロジェクタが用いられることが多くなっている。そのようなプロジェクタの例を特許文献１−３に見ることができる。
【特許文献１】特開２００５−３００６１７号公報
【特許文献２】特開２００４−１５１２３１号公報
【特許文献３】実用新案登録第３０９２５０８号公報
【発明の開示】
【発明が解決しようとする課題】
【０００３】
プロジェクタの生命は投射エンジンにある。投射エンジンは、ハウジング（アルミ合金のダイキャスト製品である場合が多い）にランプ、画像形成素子、レンズ、ミラー等の光学系要素を組み付けたものである。当然のことながら、光学系要素のそれぞれにおいて精度の高い光軸を確保する必要がある。
【０００４】
投射エンジンでは、ランプと画像形成素子の間にダブレットレンズ（doublet lens）が配置されることが多い。ダブレットレンズはレンズ２枚で構成されたフォーカスレンズであり、円筒形のレンズ鏡筒を備える。ダブレットレンズの固定は、円筒形部品の保持に常用されるＶブロック状の台座にレンズ鏡筒の外周面を押し付け、台座の軸線に直交する位置決め面にレンズ鏡筒の一端を押し付けるという形で行われるのが一般的である。レンズ鏡筒の押し付け手段は、２方向の押し付け力を一挙に得ることができ、しかもハウジングへの組付けが簡単であるものが望ましい。
【０００５】
本発明は上記の点に鑑みなされたものであり、レンズ鏡筒を固定するのに必要な押し付け力を容易に得ることができ、組み立て簡単なプロジェクタのレンズ鏡筒固定装置を提供することを目的とする。
【課題を解決するための手段】
【０００６】
上記目的を達成するために、請求項１の発明は、プロジェクタの投射エンジンのハウジングに、Ｖブロック状の台座と、この台座の軸線に直交する位置決め面を形成し、前記台座にレンズ鏡筒の外周面を、前記位置決め面に前記レンズ鏡筒の一端を、それぞれ押し付けることにより、レンズ鏡筒の位置決め固定を行うプロジェクタのレンズ鏡筒固定装置において、前記ハウジングに、前記台座より上の箇所に梁状部、台座を挟んで前記位置決め面と反対側の箇所に係合部を形成するとともに、一端には前記梁状部を把持する把持部、他端には前記係合部に係合する脚部、把持部と脚部の間には台座上のレンズ鏡筒の外周面に接触する第１の押圧部と、レンズ鏡筒の他端に接触する第２の押圧部とを備えた押圧部材を用意し、この押圧部材を、前記脚部が前記係合部に係合するように、且つ前記把持部が前記梁状部を把持するように、前記投射エンジンハウジングに上方から押し込むことにより、前記第１の押圧部がレンズ鏡筒を台座に押し付け、前記第２の押圧部がレンズ鏡筒を位置決め面に押し付けるものであり、前記把持部には、前記梁状部に対し力を及ぼして押圧部材を前記位置決め面の方に引き寄せるばねが設けられ、前記第１の押圧部は逆Ｖブロック状に形成され、前記押圧部材全体が弾性材料で一体成形されていることを特徴としている。
【０００７】
この構成によると、押圧部材を投射エンジンのハウジングに上方から押し込むだけで、レンズ鏡筒の外周面をＶブロック状の台座に押し付ける力と、台座の軸線に直交する位置決め面にレンズ鏡筒の一端を押し付ける力の両方を得ることができ、レンズ鏡筒の固定作業が著しく簡単になる。レンズ鏡筒を確実に、がたつきなく位置決め面に押し付けることができるし、Ｖブロック状の台座と逆Ｖブロック状の押圧部でレンズ鏡筒を上下から挟み、レンズ鏡筒が台座から転がり出さないようにしっかりと保持することができる。また押圧部材の製造コストが安く、単品の部品であるから組立時のハンドリングも容易である。
【０００８】
請求項２の発明は、プロジェクタの投射エンジンのハウジングに、Ｖブロック状の台座と、この台座の軸線に直交する位置決め面を形成し、前記台座にレンズ鏡筒の外周面を、前記位置決め面に前記レンズ鏡筒の一端を、それぞれ押し付けることにより、レンズ鏡筒の位置決め固定を行うプロジェクタのレンズ鏡筒固定装置において、前記ハウジングに、前記台座より上の箇所に梁状部、台座を挟んで前記位置決め面と反対側の箇所に係合部を形成するとともに、一端には前記梁状部を把持する把持部、他端には前記係合部に係合する脚部、把持部と脚部の間には台座上のレンズ鏡筒の外周面に接触する第１の押圧部と、レンズ鏡筒の他端に接触する第２の押圧部とを備えた押圧部材を用意し、この押圧部材を、前記脚部が前記係合部に係合するように、且つ前記把持部が前記梁状部を把持するように、前記投射エンジンハウジングに上方から押し込むことにより、前記第１の押圧部がレンズ鏡筒を台座に押し付け、前記第２の押圧部がレンズ鏡筒を位置決め面に押し付けることを特徴としている。
【０００９】
この構成によると、押圧部材を投射エンジンのハウジングに上方から押し込むだけで、レンズ鏡筒の外周面をＶブロック状の台座に押し付ける力と、台座の軸線に直交する位置決め面にレンズ鏡筒の一端を押し付ける力の両方を得ることができ、レンズ鏡筒の固定作業が著しく簡単になる。
【００１０】
請求項３の発明は、請求項２に記載のプロジェクタのレンズ鏡筒固定装置において、前記把持部には、前記梁状部に対し力を及ぼして押圧部材を前記位置決め面の方に引き寄せるばねが設けられていることを特徴としている。
【００１１】
この構成によると、レンズ鏡筒を確実に、がたつきなく位置決め面に押し付けることができる。
【００１２】
請求項４の発明は、請求項２または３に記載のプロジェクタのレンズ鏡筒固定装置において、前記第１の押圧部が逆Ｖブロック状に形成されていることを特徴としている。
【００１３】
この構成によると、Ｖブロック状の台座と逆Ｖブロック状の押圧部でレンズ鏡筒を上下から挟み、レンズ鏡筒が台座から転がり出さないようにしっかりと保持することができる。
【００１４】
請求項５の発明は、請求項２から４のいずれか１項に記載のプロジェクタのレンズ鏡筒固定装置において、前記押圧部材全体が弾性材料で一体成形されていることを特徴としている。
【００１５】
この構成によると、押圧部材をコスト安に製造できる。また単品の部品であるから組立時のハンドリングも容易である。
【発明の効果】
【００１６】
本発明によれば、投射エンジンのハウジング内の台座にレンズ鏡筒を載置しておき、押圧部材を上方から押し込むだけでレンズ鏡筒の固定が完了するから、生産性が良く、組立コストの引き下げが可能になる。
【発明を実施するための最良の形態】
【００１７】
以下、図１−９に基づき本発明の第１実施形態を説明する。図１はプロジェクタの斜視図、図２は投射エンジンのハウジングの下半部の斜視図、図３は投射エンジンのハウジングの下半部の斜視図であって、図２と異なる角度から見たもの、図４はレンズ鏡筒に押圧部材を組み合わせた状態の斜視図、図５はレンズ鏡筒に押圧部材を組み合わせた状態の斜視図であって、図４と異なる角度から見たもの、図６は押圧部材の側面図、図７はレンズ鏡筒固定状況を説明する投射エンジンのハウジングの部分断面図、図８はレンズ鏡筒固定状況を透視図風に表現した投射エンジンのハウジング内部の部分斜視図、図９はレンズ鏡筒固定状況を透視図風に表現した投射エンジンのハウジング内部の部分斜視図であって、図８と異なる角度から見たものである。
【００１８】
プロジェクタ１は扁平な直方体形状の外装ケース２を備え、外装ケース２の正面には投射レンズ３、前部下面には俯仰角調整用の１対のねじ脚４が設けられている。外装ケース２の内部には、特許文献１−３に例示されるような投射エンジンが設置される。投射エンジンの全体構造は発明の要点ではないので、それにつき立ち入った説明はしない。
【００１９】
図２、３に示すのは投射エンジンのハウジング１０である。図に現れているのはハウジングの下半部であり、その上にかぶさるハウジングの上半部も存在するが、それは図示しない。
【００２０】
ハウジング１０はアルミ合金のダイキャストで複雑な形状を形成したものである。図２と図３では、視点の位置ばかりでなく、組立のどの段階かという状況も異なっている。すなわち図２はハウジング１０のみを図示したものであるが、図３はハウジング１０にダブレットレンズのレンズ鏡筒２０と押圧部材３０を組み付けた状態を示している。
【００２１】
ハウジング１０の内部には垂直な仕切壁１１があり、そこにレンズ鏡筒２０を通す円形貫通穴１２が形成されている。ハウジング１０の底部には、仕切壁１１を挟む形で、Ｖブロック状の台座１３（図７、８参照）と、位置決め面１５を有するストッパ１４が形成されている。ストッパ１４は、レンズ鏡筒２０を通る光束を遮らないよう、レンズ鏡筒２０の縁のみに重なる。位置決め面１５は台座１３の軸線に直交する。なお本明細書において台座１３の軸線とは、Ｖ形の保持面に載置された円筒形部品の軸線のことである。
【００２２】
台座１３より上には梁状部１６を形成する。仕切壁１１の中で、貫通穴１２より上の箇所が梁状部１６となる。ハウジング１０の底面には、台座１３を挟んで位置決め面１５と反対側の箇所に、突起状の係合部１７を形成する。
【００２３】
レンズ鏡筒２０を台座１３に固定するのは押圧部材３０である。押圧部材３０は全体が弾性材料で一体成形されている。押圧部材３０が受ける熱に配慮し、実施形態では弾性材料としてばね性に富む薄鋼板を採用した。薄鋼板を打ち抜き及び曲げ加工して以下に述べるような形状に仕上げる。
【００２４】
押圧部材３０の一端には、断面コ字状で、コの字の開口部を下に向けた形の把持部３１を形成する。把持部３１が把持するのは梁状部１６である。把持部３１には梁状部１６に力を及ぼして押圧部材３０を位置決め面１５の方に引き寄せるばね３２が設けられている。ばね３２は、薄鋼板の一番端から１本の帯状部を突出させ、この帯状部を断面く字状に曲げ、それをさらに把持部３１の内側方向に折り曲げたものである。
【００２５】
把持部３１に続いて、台座１３に対向する水平部３３が形成される。水平部３３にはレンズ鏡筒２０の外周面に接触する第１の押圧部３４が形成される。第１の押圧部３４は、水平部３３より左右１対の帯状部を張り出させ、これらの帯状部を一旦下向きに曲げた後、途中から斜め上向きに曲げて、図４、８に見られるような逆（上下が倒立した）Ｖブロック形状としたものである。すなわち第１の押圧部３４は、レンズ鏡筒２０の外周面の上部を左右から抱きかかえるようにしてレンズ鏡筒２０に接触することになる。
【００２６】
水平部３３に続く部分は下方に直角に折り曲げられ、第２の押圧部３５となる。第２の押圧部３５はレンズ鏡筒２０の中でストッパ１４に接触しない方の端に接触する。第２の押圧部３５には円形貫通穴３６が形成されている。円形貫通穴３６は、レンズ鏡筒２０から出射される光の中で不要な部分をカットする絞りを構成するものである。
【００２７】
第２の押圧部３５の端には下方に延びる２本の脚部３７が形成されている。脚部３７は係合部１７の位置決め面１５に対向する面に係合する。
【００２８】
ハウジング１０にレンズ鏡筒２０を固定するにあたっては、まず所定の向きにしたレンズ鏡筒２０を仕切壁１１の円形貫通穴１２に通し、レンズ鏡筒２０の一端をストッパ１４の位置決め面１５に当てる。その状態でレンズ鏡筒２０から手を離し、レンズ鏡筒２０の外周面を台座１３に着座させる。
【００２９】
続いて１個の押圧部材３０を手に取り、脚部３７を係合部１７に係合させつつ、把持部３１を上方から梁状部１６にあてがい、下に押し込む。すると押圧部材３０は、図７のようにばね３２とこれに対向する把持部３１の内面との間で梁状部１６を挟み付け、取り付け状態となる。第１の押圧部３４はレンズ鏡筒２０を台座１３に押し付ける。第１の押圧部３４が逆Ｖブロック状であることにより、レンズ鏡筒２０はＶブロック形状と逆Ｖブロック形状に上下から挟まれ、台座１３から転がり出すことのないようしっかりと保持される。
【００３０】
ばね３２は押圧部材３０を位置決め面１５の方に引き寄せる。押圧部材３０は、脚部３７と係合部１７の接触箇所を支点、ばね３２と梁状部１６の接触箇所を力点、第２の押圧部１５とレンズ鏡筒２０の接触箇所を作用点とする「てこ」となり、レンズ鏡筒２０をストッパ１４の方に引き寄せ、位置決め面１５にがたつきなく押し付ける。
【００３１】
このように、台座１３にレンズ鏡筒２０を載置しておき、押圧部材３０を上方から押し込むだけで、レンズ鏡筒２０の外周面を台座１３に押し付ける力と、レンズ鏡筒２０の一端を位置決め面に１５に押し付ける力の両方を得ることができ、レンズ鏡筒２０の固定作業が著しく簡単になる。
【００３２】
投射エンジンの組立作業が進行すると、ハウジング１０の上半分が下半分にかぶせられ、固定される。この上半分の内面に、仕切壁１１に向かい合う突出部１８（図７の仮想線参照）を形成し、仕切壁１１との間で把持部３１を挟み付けるようにしておけば、押圧部材３０が上方に抜け出すことはなくなり、レンズ鏡筒２０の固定は確実なものになる。
【００３３】
図１０に本発明の第２実施形態を示す。図１０はレンズ鏡筒固定状況を説明する投射エンジンハウジングの部分断面図である。
【００３４】
第２実施形態では、押圧部材３０の第２の押圧部３５がく字状に曲げられ、屈曲点がレンズ鏡筒２０の上下方向のほぼ中央に当たるようになっている。く字状の形状のおかげで第２の押圧部３５自体もばね性がきくようになり、レンズ鏡筒２０を位置決め面１５にぴったりと押し付ける。押す位置はレンズ鏡筒２０の上下方向のほぼ中央位置であるため、レンズ鏡筒２０は無意味なモーメントを生じることなく真っ直ぐに押されることになり、レンズ鏡筒２０が傾くといったことがない。
【００３５】
梁状部１６の上部には張出部１６ａが形成されている。この張出部１６ａの下向きの肩部にばね３２が係合することにより、押圧部材３０は上方に抜けにくくなる。このため、図７の突出部１８の存在がなくても、押圧部材３０の取付は確実なものになる。
【００３６】
以上本発明の各実施形態につき説明したが、発明の主旨を逸脱しない範囲でさらに種々の変更を加えて実施することができる。
【産業上の利用可能性】
【００３７】
本発明はプロジェクタでレンズ鏡筒を固定するのに利用可能である。
【図面の簡単な説明】
【００３８】
【図１】プロジェクタの斜視図
【図２】投射エンジンのハウジングの下半部の斜視図
【図３】投射エンジンのハウジングの下半部の斜視図であって、図２と異なる角度から見たもの
【図４】レンズ鏡筒に押圧部材を組み合わせた状態の斜視図
【図５】レンズ鏡筒に押圧部材を組み合わせた状態の斜視図であって、図４と異なる角度から見たもの
【図６】押圧部材の側面図
【図７】レンズ鏡筒固定状況を説明する投射エンジンのハウジングの部分断面図
【図８】レンズ鏡筒固定状況を透視図風に表現した投射エンジンのハウジング内部の部分斜視図
【図９】レンズ鏡筒固定状況を透視図風に表現した投射エンジンのハウジング内部の部分斜視図であって、図８と異なる角度から見たもの
【図１０】第２実施形態に係るレンズ鏡筒固定状況を説明する投射エンジンのハウジングの部分断面図
【符号の説明】
【００３９】
１    プロジェクタ
１０  ハウジング
１３  台座
１５  位置決め面
１６  梁状部
１７  係合部
２０  レンズ鏡筒
３０  押圧部材
３１  把持部
３２  ばね
３４  第１の押圧部
３５  第２の押圧部
３７  脚部
【図１】
2008139727.tif 000003
【図２】
2008139727.tif 000004
【図３】
2008139727.tif 000005
【図４】
2008139727.tif 000006
【図５】
2008139727.tif 000007
【図６】
2008139727.tif 000008
【図７】
2008139727.tif 000009
【図８】
2008139727.tif 000010
【図９】
2008139727.tif 000011
【図１０】
2008139727.tif 000012